(57)【要約】【課題】フィルムホルダーをロール状フィルムの紙管又は中心孔の内面に確実に固定する。【解決手段】固定胴部（１）と該固定胴部の外側端（１ａ）に該固定胴部に対し回転自在に取り付けられた把持筒部（３）とよりなり、該固定胴部は該固定胴部の外側端より内側端（１ｂ）に向かって徐々に外径が大きくなり且つ該固定胴部の内側端付近の外径が把持筒部の外径よりも大きくなるように弾性部材により一体的に形成すると共に該固定胴部には該固定胴部の内側端より切り込み（１３）を設け、該把持筒部の外側端（３ｂ）には突縁を備えさせたことを特徴とするフィルムホルダー。【選択図】　図１
2004083181.tif 000002
【特許請求の範囲】
【請求項１】
固定胴部と該固定胴部の外側端に該固定胴部に対し回転自在に取り付けられた把持筒部とよりなり、該固定胴部は該固定胴部の外側端より内側端に向かって徐々に外径が大きくなり且つ該固定胴部の内側端付近の外径が把持筒部の外径よりも大きくなるように弾性部材により一体的に形成すると共に該固定胴部には該固定胴部の内側端より切り込みを設け、該把持筒部の外側端には突縁を備えさせたことを特徴とするフィルムホルダー。
【請求項２】
前記把持筒部の突縁における前記固定胴部に臨む面には突部を形成したことを特徴とする請求項１のフィルムホルダー。
【発明の詳細な説明】
【０００１】
【発明の属する技術分野】
本発明は、フィルムホルダーに関するものであり、更に詳しくは、ストレッチフィルム等のロール状フィルムを回転自在に保持するためのフィルムホルダーに係るものである。
【０００２】
種々の商品の集積物の荷締を行い、或いはその荷崩れ、荷痛み、荷汚れ等を防止するために、該集積物はしばしばストレッチフィルム等のフィルムにより梱包される。このような梱包作業を行う際には、ロール状フィルムの両端にフィルムホルダーを取り付け、これらのフィルムホルダーを作業員が両手で把持し、該ロール状フィルムを例えば上下方向に向けた状態で作業員が該集積物の周囲を移動することによりロール状フィルムからフィルムを繰り出して該集積物を梱包するのである。
【０００３】
【従来の技術】
このようなフィルムホルダーとしては、特許第２９５７３５８号公報に示すように、ロール状フィルムの紙管内に挿入される円筒部と該円筒部に回転自在に挿入される把持部材とよりなるものが知られている。作業員は該把持部材を手で把持する。
【０００４】
【発明が解決しようとする課題】
しかるに、上記従来のフィルムホルダーにおいては、次のような問題がある。
【０００５】
ロール状フィルムには中心に紙管を備えていないものがある（図８参照）。このような紙管を備えていないロール状フィルムの中心孔に上記従来のフィルムホルダーの円筒部を挿入したときには、該中心孔は拡径する傾向があり、該円筒部を該中心孔内に固定することができないおそれがある。特に、紙管を備えていないロール状フィルムの残量が少なくなったときには、該ロール状フィルムの中心孔は容易に拡径し、フィルムホルダーの円筒部が該中心孔内で回転し、更には該円筒部が該中心孔から脱出するおそれが大きい。
【０００６】
本発明は、上記従来のフィルムホルダーにおける上述の如き問題を解決しようとしてなされたものである。
【０００７】
【課題を解決するための手段】
上記課題を解決するために、本発明は下記のフィルムホルダーを提供するものである。
【０００８】
（１）固定胴部と該固定胴部の外側端に該固定胴部に対し回転自在に取り付けられた把持筒部とよりなり、該固定胴部は該固定胴部の外側端より内側端に向かって徐々に外径が大きくなり且つ該固定胴部の内側端付近の外径が把持筒部の外径よりも大きくなるように弾性部材により一体的に形成すると共に該固定胴部には該固定胴部の内側端より切り込みを設け、該把持筒部の外側端には突縁を備えさせたことを特徴とするフィルムホルダー（請求項１）。
【０００９】
（２）前記把持筒部の突縁における前記固定胴部に臨む面には突部を形成する（請求項２）。
【００１０】
特許請求の範囲を含む本明細書において、「内側端」とはロール状フィルムの紙管又は中心孔の奥側方向の端をいうものとし、「外側端」とは内側端の反対方向の端をいうものとする。
【００１１】
【作用】
［請求項１のフィルムホルダー］
本発明によるフィルムホルダーはロール状フィルムの紙管又は中心孔の両端に取り付けて使用するのであるが、図３に示す如く、本発明によるフィルムホルダーをロール状フィルムの紙管又は中心孔の一端に取り付け、別のフィルムホルダーを該紙管又は中心孔の他端に取り付けて使用しても差し支えない。
【００１２】
上記いずれの場合にも、これらのフィルムホルダーを作業員が両手で把持し、該ロール状フィルムを例えば上下方向に向けた状態で作業員が該集積物の周囲を移動することによりロール状フィルムからフィルムを繰り出して該集積物を梱包するのである。
【００１３】
本発明によるフィルムホルダーをロール状フィルムの紙管又は中心孔の端に取り付ける際には、把持筒部を手に持って固定胴部を該固定胴部の弾性に抗して該紙管又は中心孔内に押し込むのである。
【００１４】
固定胴部は該固定胴部の外側端より内側端に向かって徐々に外径が大きくなり且つ該固定胴部の内側端付近の外径が把持筒部の外径よりも大きくなるように弾性部材により一体的に形成すると共に該固定胴部の内側端より切り込みを設けているため、固定胴部を該固定胴部の弾性に抗してロール状フィルムの紙管又は中心孔内に押し込んだときには、固定胴部の内側端付近が縮径された状態で該紙管又は中心孔内に嵌着される。換言すれば、固定胴部はその内側端付近が弾性により常時拡径する傾向がある。従って、固定胴部はロール状フィルムの紙管又は中心孔の内面に圧接し、該紙管又は中心孔の内面に確実に固定される。
【００１５】
把持筒部の外側端に備えさせた突縁はロール状フィルムの側縁を押さえ、該把持筒部がロール状フィルムの紙管又は中心孔内に入り込むことを防止する。
【００１６】
この状態で、固定胴部の外側端に回転自在に備えさせた把持筒部を手で把持し、作業員が移動したときには、固定胴部と共にロール状フィルムが回転し、該ロール状フィルムからフィルムが繰り出される。
【００１７】
フィルムホルダーをロール状フィルムの紙管又は中心孔の端に取り付けたときには、把持筒部の突縁を床面に接地させた状態で該ロール状フィルムを自立させることも可能である。
【００１８】
［請求項２のフィルムホルダー］
把持筒部の突縁における固定胴部に臨む面に形成された突部は、フィルムホルダーをロール状フィルムの紙管又は中心孔の端に取り付けた際に、該ロール状フィルムの側縁が該把持筒部の突縁における固定胴部に臨む面の全体に接触することを防止し、以て把持筒部の円滑な回転を確保する。図２参照。因みに、上下方向を向いたロール状フィルムにおける側縁（下側縁）が該把持筒部の突縁における固定胴部に臨む面の全体に接触したときには、該把持筒部はロール状フィルムの側縁との大きな摩擦により円滑な回転が妨げられる。
【００１９】
フィルムホルダーをロール状フィルムの紙管又は中心孔の端に取り付けたときに、該ロール状フィルムの側縁と把持筒部の突縁における固定胴部に臨む面との間に該突部の高さに対応する隙間（図２の符号ａ参照）が生ずる。フィルムホルダーをロール状フィルムの紙管又は中心孔から引き抜く際には、この隙間に指を挿入してフィルムホルダーを容易に引き抜くことができる。
【００２０】
【発明の実施の形態】
次に、本発明の実施の形態を添付図面に従って説明する。
本発明によるフィルムホルダーは、固定胴部１と該固定胴部１の外側端１ａに該固定胴部１に対し回転自在に取り付けられた把持筒部３とよりなる。
【００２１】
即ち、一例として図２に示すように、固定胴部１内にはその外側端１ａより内側端１ｂ方向に円筒部５を突設し、把持筒部３にはその内側端３ａより該円筒部５よりも小径の円筒部７を固定胴部１の円筒部５に対応させて突設し、把持筒部３の円筒部７を固定胴部１の円筒部５内に回転自在に嵌合させる。
【００２２】
固定胴部１は、該固定胴部１の外側端１ａより内側端１ｂに向かって徐々に外径が大きくなり且つ該固定胴部１の内側端１ｂ付近の外径９が把持筒部３の外径１１よりも大きくなるように、合成樹脂等の弾性部材により一体的に形成する。
【００２３】
固定胴部１には該固定胴部１の内側端１ｂより切り込み１３を設ける。図示の事例においては、６個の切り込み１３が形成されている。
【００２４】
把持筒部３の外側端３ｂには突縁（フランジ）１５を備えさせる。
【００２５】
把持筒部３の突縁１５における固定胴部１に臨む面１５ａには突部１７を形成する。突部１７は一例として１８０度の角度間隔を置いて２個形成する。
【００２６】
図３における符号１９に示すものは本発明によるものとは異なるフィルムホルダーである。
【００２７】
符号３１に示すものはロール状フィルムである。図４に示すロール状フィルム３１は紙管３３を備えている。図５に示すロール状フィルム３１は紙管３３を備えていない。符号３５に示すものはロール状フィルム３１の中心孔である。符号３１ａに示すものはロール状フィルム３１の側縁である。
【００２８】
【発明の効果】
［請求項１の発明］
固定胴部は該固定胴部の外側端より内側端に向かって徐々に外径が大きくなり且つ該固定胴部の内側端付近の外径が把持筒部の外径よりも大きくなるように弾性部材により一体的に形成すると共に該固定胴部の内側端より切り込みを設けているため、固定胴部を該固定胴部の弾性に抗してロール状フィルムの紙管又は中心孔内に押し込んだときには、固定胴部の内側端付近が縮径された状態で該紙管又は中心孔内に嵌着される。換言すれば、固定胴部はその内側端付近が弾性により常時拡径する傾向がある。従って、固定胴部はロール状フィルムの紙管又は中心孔の内面に圧接し、該紙管又は中心孔の内面に確実に固定される。
【００２９】
フィルムホルダーをロール状フィルムの紙管又は中心孔の端に取り付けたときには、把持筒部の突縁を床面に接地させた状態で該ロール状フィルムを自立させることも可能である。
【００３０】
［請求項２のフィルムホルダー］
把持筒部の突縁における固定胴部に臨む面に形成された突部は、フィルムホルダーをロール状フィルムの紙管又は中心孔の端に取り付けた際に、該ロール状フィルムの側縁が該把持筒部の突縁における固定胴部に臨む面の全体に接触することを防止し、以て把持筒部の円滑な回転を確保する。
【００３１】
フィルムホルダーをロール状フィルムの紙管又は中心孔の端に取り付けたときに、該ロール状フィルムの側縁と把持筒部の突縁における固定胴部に臨む面との間に該突部の高さに対応する隙間が生ずる。フィルムホルダーをロール状フィルムの紙管又は中心孔から引き抜く際には、この隙間に指を挿入してフィルムホルダーを容易に引き抜くことができる。
【図面の簡単な説明】
【図１】本発明によるフィルムホルダーの一例を示す斜視図である。
【図２】同上フィルムホルダーの断面図である。
【図３】ロール状フィルムの両端にフィルムホルダーを取り付けた状態を示す正面図である。
【図４】ロール状フィルムの一例を示す斜視図である。
【図５】ロール状フィルムの別の一例を示す斜視図である。
【符号の説明】
１　固定胴部
１ａ　外側端
１ｂ　内側端
３　把持筒部
３ａ　内側端
３ｂ　外側端
５　円筒部
７　円筒部
１３　切り込み
１５　突縁
１５ａ　　固定胴部に臨む面
１７　突部
１９　フィルムホルダー
３１　ロール状フィルム
３１ａ　側縁
３３　紙管
３５　中心孔
【図１】
2004083181.tif 000003
【図２】
2004083181.tif 000004
【図３】
2004083181.tif 000005
【図４】
2004083181.tif 000006
【図５】
2004083181.tif 000007